(57)【特許請求の範囲】
【請求項１】
整流子に多角形の単コイルを円板状に配設し樹脂成形してなる偏平型ロータと、前記ロータに対向して一方に第１のブラケットと、他方に略円環状磁石を有する第２のブラケットとを設けたフラットモータにおいて、第１のブラケットと第２のブラケットとの接合面のみに半永久的に硬化しない液状ガスケットを介在させて組み立てることを特徴とするフラットモータ。
【発明の詳細な説明】
【０００１】
【発明の属する技術分野】
本発明は小型直流モータにあって、例えば自動車室内空気清浄器や室内空気送風用ブロワーモータに使用されるフラットモータに関するものである。
【０００２】
【従来の技術】
近年、フラットモータは薄型・軽量の利点を活かし、自動車室内用ファンモータに使用されているが、そのために以前にもまして低騒音化が要求されている。
【０００３】
以下に従来のフラットモータについて説明する。
図５は従来のフラットモータの反断面図を示しており、図５において１は第１のブラケット、２は多角形の単コイルを樹脂成形してなるロータ、３は第２のブラケット、４は略円環状磁石、１０はシール剤で前記第１のブラケット１と前記第２のブラケット２との接合面に塗布されている。
【０００４】
以上のように構成されたフラットモータについて、以下その動作を説明する。略円環状磁石４を有する第２のブラケット３にロータ２を挿入して、前記第２のブラケット３の第１のブラケット１との接合面にシール剤１０を塗布した後、前記第１のブラケット１を被せてモータを組み立てる。この時のシール剤１０はウレタン系の湿気硬化性であり、大気中の水分と反応して硬化し、硬化後は前記第１のブラケット１と前記第２のブラケット３とを協力に接着シールする。
【０００５】
図３は第１のブラケット１をインパルスハンマ法によって加振した時の、前記第１のブラケット１の固有振動数を調査した結果である。従来のフラットモータはシール剤１０が硬化した後には、２.５ｋHz付近に固有振動数が存在することがわかる。
【０００６】
【発明が解決しようとする課題】
しかしながら上記従来の構成では、シール剤が硬化した後は第１のブラケットが振動しやすくなる。モータの運転電圧範囲内においてロータが加振源となり、加振周波数のｎ次成分がブラケットの固有振動数と合致した場合に、ブラケットが共振して例えば２.５ｋHz付近で共振音が発生するという問題点を有していた。
【０００７】
本発明は、上記従来の問題点を解決するもので、コストは同等で騒音の低減を実現した信頼性の高いフラットモータを提供することを目的とする。
【０００８】
【課題を解決するための手段】
この課題を解決するために本発明は、第１のブラケットと第２のブラケットとの接合面に半永久的に硬化しない液状ガスケットを介在させた構造を有するものである。
【０００９】
【発明の実施の形態】
本発明の請求項１に記載の発明は、整流子に多角形の単コイルを円板状に配設し樹脂成形してなる偏平型ロータと、前記ロータに対向して一方に第１のブラケットと、他方に略円環状磁石を有する第２のブラケットとを設けたフラットモータにおいて、第１のブラケットと第２のブラケットとの接合面に半永久的に硬化しない液状ガスケットを介在させて組み立てるものであり、図３からもわかるように第１のブラケットは振動しにくい構造となり、モータの加振周波数のｎ次成分が第１のブラケットの固有振動数に合致しても共振音は発生しにくくなり、２.５ｋHz付近の騒音が低減するという作用を有する。
【００１０】
以下、本発明の実施の形態について、図１から図４を用いて説明する。
（実施の形態１）
図１は本発明の一実施の形態におけるフラットモータの半断面図であり、図２は本発明の一実施の形態における第２のブラケットの平面図である。
【００１１】
図１，図２において、１は第１のブラケット、２は多角形の単コイルを樹脂成形してなるロータ、３は第２のブラケット、４は略円環状磁石、１１はシール剤で前記第１のブラケット１と前記第２のブラケット２との接合面に塗布されている。
【００１２】
以上のように構成されたフラットモータについて、以下その動作について説明する。
【００１３】
従来のフラットモータと同様に、略円環状磁石４を有する第２のブラケット３にロータ２を挿入して、前記第２のブラケット３の第１のブラケットとの接合面にシール剤を塗布した後、前記第１のブラケットを被せてモータを組み立てる。この時のシール剤１１は、半永久的に硬化しない液状ガスマットを塗布する。
【００１４】
図３は第１のブラケット１をインパルスハンマ法によって加振した時の、前記第１のブラケット１の固有振動数を調査した結果であり、図４はモータの加振周波数が７７０Hz時に、加振周波数の３次成分が前記第１のブラケット１の固有振動数に合致したときの、モータ＋ファン状態での騒音の周波数分析結果である。
【００１５】
この時従来のフラットモータにおいて、シール剤が硬化する前は図３の実施の形態のように第１のブラケット１の固有振動数は２.３ｋHz付近にあるが、シール剤が硬化して前記第１のブラケット１と第２のブラケット３とを強固に接着シールすることにより、前記第１のブラケット１の固有振動数は２.５ｋHz付近に約２００Hzシフトして振動しやすくなる。また、この状態のとき図４において、モータの加振周波数の３次成分が、前記第１のブラケット１の固有振動数と合致したときに、約６９dBの騒音を発生することがわかる。
【００１６】
そこで本実施の形態では、シール剤が半永久的に硬化しない液状ガスマットを用いることによって、前記第１のブラケット１の固有振動数は２.３ｋHz付近に存在するが、従来例に対して経時変化を考慮しても前記第１のブラケット１は振動しにくい構造となっている。したがって、図４においてモータの加振周波数の３次成分が、前記第１のブラケット１の固有振動数と合致したときに、約６４dBの騒音を発生しているが、従来例に比べて約５dBの騒音低減効果が現れているのである。
【００１７】
なお、本実施の形態のシール剤は耐熱性にも優れており、８０℃になっても粘度が低下して、たれ流れるようなことのない材質例えばエステル系で粘度３００,０００cp程度を用いることが望ましい。
【００１８】
以上のように、第１のブラケット１と第２のブラケット３との接合面に半永久的に効果しない液状ガスマットを介在させた構造を有することにより、コスト同等で２.５ｋHz付近のブラケットの共振による騒音を約５dB低減することができる。
【００１９】
【発明の効果】
以上のように本発明によれば、第１のブラケット１と第２のブラケット３との接合面に半永久的に効果しない液状ガスマットを介在させた構造を有することにより、コストは同等で２.５ｋHz付近のブラケットの共振による騒音を約５dB低減した信頼性の高い優れたフラットモータを提供することを実現することができる。
【図面の簡単な説明】
【図１】本発明の一実施の形態によるフラットモータの半断面図
【図２】本発明の一実施の形態による第２のブラケットの平面図
【図３】同実施の形態による第１のブラケットの振動伝達特性図
【図４】同実施の形態によるモータとファン状態での騒音の周波数分析結果を示す図
【図５】従来のフラットモータの半断面図
【符号の説明】
１  第１のブラケット
２  ロータ
３  第２のブラケット
４  略円環状磁石
１０，１１  シール剤
【図１】
0003878687.tif 000002
【図２】
0003878687.tif 000003
【図３】
0003878687.tif 000004
【図４】
0003878687.tif 000005
【図５】
0003878687.tif 000006